(57)【要約】【課題】コンパクトにまとめられた表示ユニットであっても、ハーネス（電線）の取り回しを気にすることなく組立が可能な表示ユニットの提供。【解決手段】遊技に関連する画像が表示される表示パネルと前記表示パネルに表示される画像を制御する表示制御基盤とが共にケースに収容される遊技機用の表示ユニットであって、前記表示パネルと表示制御基盤とを隔てる隔壁１０８を備え、前記隔壁１０８は、前記表示パネル側と前記表示制御基盤側とを結ぶ電線１５５が挿通される挿通孔１３９と、前記挿通孔の周縁に立設される案内壁１４１と、前記案内壁１４１に連接される案内天１４０とを備える案内部材１３０とを備え、前記案内部材１３０は、前記挿通孔１３９に挿通される電線１５５を表示制御基盤方向に案内する。【選択図】図５
2007312947.tif 000002
【特許請求の範囲】
【請求項１】
遊技に関連する画像が表示される表示パネルと前記表示パネルに表示される画像を制御する表示制御基盤とが共にケースに収容される遊技機用の表示ユニットであって、
前記表示パネルと表示制御基盤とを隔てる隔壁を備え、
前記隔壁は、
前記表示パネル側と前記表示制御基盤側とを結ぶ電線が挿通される挿通孔と、
前記挿通孔の周縁に立設される案内壁と、前記案内壁に連接される案内天とを備える案内部材とを備え、
前記案内部材は、前記挿通孔に挿通される電線を表示制御基盤方向に案内することを特徴とする表示ユニット。
【発明の詳細な説明】
【技術分野】
【０００１】
本発明はパチンコ機やスロットマシン等などの遊技機に取り付けられる表示ユニットに関し、特に、組立可能な表示ユニットに関する。
【背景技術】
【０００２】
現在のパチンコ機は、リーチアクション画像など種々の画像が表示される液晶の表示パネルが取り付けられており、表示パネルに表示される画像の制御は、表示制御基盤と称される基盤によりコンピュータ制御されている。
【０００３】
従来、前記表示パネルと表示制御基盤など画像表示に関連するパーツは、前記表示パネルの背部に他のパーツを重ねた状態で配置し、これらが一つのケース内に収容される表示ユニットとしてまとめられることがある（例えば、特許文献１参照）。
【０００４】
この様に、画像表示に関連するパーツをユニット化することにより、これらのパーツをパチンコ機に取り付ける際の取り付け性の向上や、取り付けスペースの減少などに寄与することができる。
【特許文献１】特開２００２−０８５７４１号公報
【発明の開示】
【発明が解決しようとする課題】
【０００５】
前記表示ユニットは、表示パネルと表示制御基盤とがハーネス（電線）で接続された状態でケース内に収容されている必要がある。
【０００６】
ところが、表示パネルと表示制御基盤とを結ぶハーネスは、くせを持っていることが多く、表示ユニットを組み立てる際に、ケースの接合部分に前記ハーネスが干渉し、邪魔になって組立作業の作業性が悪化したり、不本意にハーネスを挟んだまま表示ユニットを組立てしまい、ハーネスが断線してしまったりすることがある。
【０００７】
また、前記問題は、表示制御基盤の大きさに対し、これを覆うカバーが十分に大きく、表示ユニットの組立に支障のない場所にハーネスを配線すればある程度解決できるが、昨今のパチンコ機においては、パチンコ機の背部に取り付ける装置が多いため、表示ユニットもできる限り小さくしなければならないという要請があり、ケースの接合部近傍にハーネスが配線されることとなる。
【０００８】
本発明は上記課題に鑑みなされたものであり、コンパクトにまとめられた表示ユニットであっても、ハーネス（電線）の取り回しを気にすることなく組立が可能な表示ユニットの提供を目的としている。
【課題を解決するための手段】
【０００９】
上記目的を達成するために、本発明に係る表示ユニットは、表示パネルと表示制御基盤とを隔てる隔壁を備え、前記隔壁は、前記表示パネル側と前記表示制御基盤側とを結ぶ電線が挿通される挿通孔と、前記挿通孔の周縁に立設される案内壁と、前記案内壁に連接される案内天とを備える案内部材とを備え、前記案内部材は、前記挿通孔に挿通される電線を表示制御基盤方向に案内することを特徴とする。
【００１０】
これにより、表示ユニットを組み立てる際、隔壁に挿通された電線は、基盤方向に案内された状態となっており、当該電線が表示ユニットの接合部と干渉することがないため、電線の損傷や断線を気にすることなく、電線に煩わされることなく表示ユニットを組み立てることが可能となる。
【発明を実施するための最良の形態】
【００１１】
以下、本発明に係る実施の形態を図面に沿って説明する。
【００１２】
（実施の形態１）
図１は、本実施形態に係るパチンコ機１００の正面方向から示す斜視図である。
【００１３】
同図に示されるように、パチンコ機１００は、外枠１１１と、前枠１１２と、窓枠１１３とを備え、窓枠１１３の背部には表示パネル１２１が取り付けられた遊技盤１１４とを備えている。
【００１４】
外枠１１１は、パチンコ機１００の各構成要素を保持するための基礎となる部材であり、矩形状の枠体となっている。また、外枠１１１は、パチンコホールなど設置されている台島に直接固定される部材であり、台島と外枠１１１のみとを固着することによりパチンコ機１００が台島に設置されることとなる。
【００１５】
前枠１１２は、遊技盤１１４や、パチンコ機１００に関する各種機能を制御基盤などが直接的に、また取り付け用部材を介して間接的に取り付けられる部材である。また、前枠１１２は、外枠１１１の前端面左側とヒンジ１０１を介して取り付けられており、外枠１１１に対して前枠１１２が回動可能となされている。すなわち、台島に設置されたパチンコ機１００の前枠１１２を回動すると、パチンコ機１００の背部を露出させることが可能となっている。
【００１６】
また、前枠１１２の前面下部には遊技者が操作できる遊技球１０５を貯留するための上皿１１６や下皿１１７が設けられ、下皿１１７の右方には、遊技者が回転させることにより遊技球１０５の射出の可否を選択し、また、遊技球１０５の射出速度を変更するためのハンドル１１８が設けられている。
【００１７】
窓枠１１３は、前枠１１２の前面にヒンジ１０２を介して装着される部材である。この窓枠１１３は円形孔状の窓部１０３を有し、当該窓部１０３の内周面には透明なガラス板１０４が設けられている。前記窓部１０３のガラス板１０４は、遊技中の遊技球１０５が転落する遊技盤１１４の前面に配置されており、前記転落中の遊技球１０５を遊技者が視認できると共に、遊技球１０５が遊技盤１１４から飛び出ることを防止している。なお、本実施形態においてはガラス板１０４と記載されているが、ガラス板１０４とは透明で遊技球１０５転落の際の衝撃に抗する強度を有するものとの意味で使用されている。従い、前記条件を満たす材質であるならガラスに限定されることはなく、樹脂製の板や、樹脂板とガラス板とが積層されるような複合板などでもかまわない。
【００１８】
遊技盤１１４は、遊技球１０５が転落する遊技領域を形成するための木製や樹脂製の部材であり、遊技球１０５を複雑に転落させるための釘や、大当たりを判定するためのトリガーとなる始動口１１５や、大当たり遊技中に遊技球１０５を受け取るために開放される大入賞口１１９などの他、装飾図柄が表示される表示パネル１２１（表示ユニット１２０）が取り付けられる部材である。
【００１９】
図２は、パチンコ機１００の背面を示す斜視図である。
同図に示すように、パチンコ機１００の背部上側には、球タンク１３１と、タンクレール１３２とが取り付けられている。当該球タンク１３１とタンクレール１３２とは、台島から遊技球１０５を受け取り、当該遊技球１０５を貯留すると共に、必要に応じ必要な数だけ遊技球１０５を払い出す払出装置に遊技球１０５を供給する。
【００２０】
また、タンクレール１３２の下方には、表示制御基盤１２２が収容された表示ユニット１２０のリアカバー１２４部分が配置されている。
【００２１】
表示ユニット１２０は、図３に示すように、遊技盤１１４に貫通状に設けられた取り付け孔に表示ユニット１２０のフロントカバー１２３部分が挿入された状態で遊技盤１１４に固定されており、表示ユニット１２０のリアカバー１２４部分は背部に突出した状態になっている。なお、図３は、表示ユニット１２０の取り付け状態を概念的に示したものであり、具体的には、表示ユニット１２０は、後述の取り付け部材１５２等を介してねじなどにより遊技盤１１４に固定される。
【００２２】
またパチンコ機１００の背部には、表示ユニット１２０の下方に、各種遊技音の出力制御を行なう音サブ基盤１３３、入賞時におけるパチンコ機１００の動作等を含むパチンコ機１００の主要な動作を制御する主基盤１３４、遊技球１０５の払い出し動作を制御する払出基盤１３５、および各基盤等に電源を供給する電源基盤１３６等の各種基盤がそれぞれケースに収容された状態で取り付けられている。
【００２３】
次に、表示ユニット１２０について説明する。
図４は、表示ユニット１２０を分解した状態で背部から示す斜視図である。
【００２４】
同図に示すように表示ユニット１２０は、複数のパーツを組み付けることにより得られる部材であり、フロントカバー１２３と、クリア板１０６と、スペーサー１０７と、表示パネル１２１と、隔壁１０８と、表示制御基盤１２２と、リアカバー１２４とを備えている。
【００２５】
表示パネル１２１は、画像（動画）を表示させるための種々のパーツが、金属製の筺体に収容され一体化された部材である。前記種々のパーツとは、画像が表示される液晶パネルや、視認性向上のためのバックライト、前記液晶パネルを直接駆動させるための駆動基盤などである。
【００２６】
なお、本発明は液晶に限定されわけではなく、ＰＤＰやＥＬなど任意の表示装置を表示パネルのパーツとして適用しうる。
【００２７】
表示制御基盤１２２は、表示パネル１２１に表示させる画像を蓄積し、所定のタイミングで蓄積している画像を表示させ、また、表示を制御する基盤である。表示制御基盤１２２は、画像データなどを蓄積し、画像表示のための演算に供されるＲＯＭやＲＡＭなどのメモリ１０９や、バックライトを点灯させるためのインバータ基盤１４２などが接続され、また、画像を制御するためのＣＰＵや各種電子部品が搭載されている。
【００２８】
フロントカバー１２３は、表示パネル１２１の周縁部を覆うことの出来る矩形の枠体であり、隔壁１０８等を固定するためのねじ穴が設けられた雌ねじ部１１０を膨出状に備えている。また、フロントカバー１２３は、帯電防止材で構成されている。これにより、表示パネル１２１がフロントカバー１２３とクリア板１０６と隔壁１０８とで完全に囲われた状態であっても、フロントカバー１２３は導電性を備えているため、表示ユニット１２０の外部に対して表示パネル１２１が絶縁状態にはならない。従って、表示パネル１２１で発生する静電気などはフロントカバー１２３を介して外部に放電され、表示ユニット１２０に埃が付着するのを抑止することが可能となる。
【００２９】
なお、帯電防止材で構成されるのはフロントカバー１２３のみが好ましい。これは、帯電防止材は透明性に欠けるため、クリア板１０６に適用することはできず、リアカバー１２４等の他のケース１２５の部分に適用すると、収容される表示制御基盤１２２等をケース１２５の外部から視認することが困難になるからである。また、表示パネル１２１側に何らかの基盤が配置されている場合は、隔壁１０８を帯電防止材で構成することは上記と同様の理由で好ましくない。一方、フロントカバー１２３を帯電防止材で構成できる理由は、フロントカバー１２３が覆う表示パネル１２１の部分は金属製の筐体部分であるため、外部から筐体を視認する必要性に乏しいからである。
【００３０】
フロントカバー１２３を構成する帯電防止材とは、樹脂に導電性物質を練り込み、全体の導電性を高めたものや、樹脂成型材の表面に導電性皮膜が施されたものなどを例示できる。
【００３１】
クリア板１０６は、表示パネル１２１の表示面（図中奥の面）の前面に配置される板状の部材であり、特に視認性が良好なクリアな材質の樹脂やガラス等で構成されている。
【００３２】
リアカバー１２４は、表示制御基盤１２２を丁度収容できる大きさの箱形の膨出部１２７と、隔壁１０８の大きさに合致するためのフランジ部１２８とを備えた部材である。前記膨出部１２７及びフランジ部１２８は、樹脂製であり一体に成型されている。
【００３３】
膨出部１２７は、上下の稜線部分に角柱状にそれぞれ切りかかれた凹陥部１４５、１４６を備え、当該凹陥部１４５、１４６は、対向状に配置される把持面１４７、１４８をそれぞれ備えている。
【００３４】
把持面１４７、１４８は、人間が片手で把持できる程度の間隔を隔てて平行に配置されており、当該把持面１４７、１４８をつまむように把持することで表示ユニット１２０を片手で保持できるようになっている。
【００３５】
フランジ部１２８の隅部の１箇所には、切欠き部１２９が設けられている。この切欠き部１２９は、隔壁１０８から突出状に設けられる後述する案内部材１３０の案内天１４０に適応した形状となされており、リアカバー１２４を隔壁１０８に組み付けた状態において、フランジ部１２８と案内部材１３０とが面一となるように設定されている。
【００３６】
このように隔壁１０８とリアカバー１２３との間にある程度の面積が確保された面一の面を設けることにより、図６に示すように、表示ユニット１２０の組立完了後に、封印用のシールが貼り付けやすくなる。また、封印用のシールが折れ曲がることなく表示ユニット１２０の背部から一目で確認することができる。
【００３７】
スペーサー１０７は、クリア板１０６に直接表示パネル１２１が接触することを防止するための部材であり、フロントカバー１２３の内側に丁度納まる大きさの矩形の枠体である。また、スペーサー１０７は、ある程度剛性のある樹脂で構成されている。
【００３８】
このスペーサー１０７の存在により、表示パネル１２１とクリア板１０６とが擦れないため、クリア板１０６は、傷つくことなく透明性を維持し表示パネル１２１の視認性を維持することが可能となる。
【００３９】
従来は、前記スペーサー１０７が配置される部分に、接着剤で固定される同様の形状のスポンジが用いられていた。しかし、表示パネル１２１を他の表示ユニット１２０に転用（再利用）する場合、接着剤で接着されたスポンジを取り除くのが困難で、当該スポンジの存在が表示パネル１２１の転用の支障となっていた。
【００４０】
本実施形態の場合、スペーサー１０７は剛性のある樹脂で構成され接着されていないため、転用の支障となることはない。
【００４１】
隔壁１０８は、フロントカバー１２３とリアカバー１２４との間に配置され、表示パネル１２１と表示制御基盤１２２とを分離する板状の部材である。また、隔壁１０８は、表示ユニット１２０の中間部分に配置され、表示ユニット１２０全体の剛性の向上に寄与している。さらに隔壁１０８は、フロントカバー１２３と協働して表示パネル１２１を安定してケース１２５内に保持する働きを担っている。
【００４２】
また、隔壁１０８には、隔壁１０８本体と一定の間隔を置いて表示制御基盤１２２を配置するための複数の支持部材１３７が一体に突設されている。これら支持部材１３７にはねじ穴（図示せず）が設けられており、表示制御基盤１２２に設けられる貫通孔に挿通し、前記ねじ穴に雄ねじを螺着することで、表示制御基盤１２２を隔壁１０８に固定することができるものとなされている。
【００４３】
このように、表示制御基盤１２２を隔壁１０８から所定の間隔を置いて固定するのは、当該固定状態により表示制御基盤１２２の周囲に全体に空間を設けることができ、表示制御基盤１２２から放出される熱の対流を促し、放熱効率を高めることができるからである。
【００４４】
また、隔壁１０８には、隔壁１０８に対し着脱自在な取り付け部材１５２を取り付ける取り付け部１４３が設けられている。
【００４５】
前記取り付け部１４３に取り付けられる取り付け部材１５２は、図６に示すように表示ユニット１２０として組み付けられた状態では、表示ユニット１２０に対し着脱不可能に固着されており、当該取り付け部材１５２に設けられている貫通孔１５３を用いて表示ユニット１２０を遊技盤１１４に取り付けるものとなっている。一方、表示ユニット１２０を分解すると取り付け部材１５２は容易に隔壁１０８から取り外すことができ、他の表示ユニットなどに転用できるようになっている。
【００４６】
より具体的には、取り付け部材１５２は剛性のある帯状の部材であり、貫通状の取り付け孔１５４を複数個長さ方向に並べて備えている。一方、隔壁１０８の取り付け部１４３には、前記取り付け孔１５４に嵌入することのできる円柱状の突設部１３８を備えている。そして、突設部１３８に取り付け孔１５４を挿入した状態で、リアカバー１２４を隔壁１０８に取り付けると、隔壁１０８とフランジ部１２８とが前記嵌入部分を含めて取り付け部材１５２を挟持するため、取り付け部材１５２は、表示ユニット１２０の端縁に一部突出状態で固着される。
【００４７】
以上のように、表示ユニット１２０の剛性の要となる隔壁１０８に取り付け部材１５２が取り付けられ、当該取り付け部材１５２を介して表示ユニット１２０を遊技盤１１４に固定することができるため、表示ユニット１２０の取り付け状態が安定する。
【００４８】
また、機種の異なるパチンコ機に同じ表示ユニット１２０を転用しようとする場合、従来なら新しい機種の取り付け位置に適合した形状のケース１２５に取り替えなければならず表示パネル１２１や表示制御基盤１２２等電子的なパーツのみしか転用できなかったが、本実施形態の場合は、あたらしいパチンコ機の機種に適合した貫通孔１５３を備えた取り付け部材１５２に取り替えるだけで、表示ユニット１２０をことなる機種のパチンコ機に取り付けることができる。従って、機種変更に伴い廃棄するパーツの量を削減することが可能となる。
【００４９】
また、隔壁１０８は、表示パネル１２１と表示制御基盤１２２とを接続するための電線１５５が挿通される挿通孔１３９が設けられている。
【００５０】
図５は、挿通孔１３９部分を拡大して示す図であり、(ａ)は斜視図、（ｂ）は（ａ）に示されるＩ−Ｉ線で切断した状態を示す断面図である。
【００５１】
同図に示すように、挿通孔１３９は、電線１５５が端部に備えるコネクタ１５６を通過させることのできる大きさの矩形の孔であり、隔壁１０８の所定の角部に設けられている。
【００５２】
さらに、隔壁１０８は、前記挿通孔１３９に挿通された電線１５５を隔壁１０８に固着された表示制御基盤１２２側に案内するための案内部材１３０を一体に備えている。当該案内部材１３０は、矩形の挿通孔１３９の三つの辺から隔壁１０８に対して垂直に突設される３枚の案内壁１４１と、当該全ての案内壁１４１の上端部に連接され、挿通孔１３９と対向する矩形の案内天１４０とで構成されている。
【００５３】
前記案内部材１３０が挿通孔１３９を取り囲むように配置されると共に、表示制御基盤１２２方向に開口部１５６を備えているため、同図に示すように、挿通孔１３９を通過する電線１５５が案内部材１３０に従って表示制御基盤１２２の方向、すなわち、隔壁１０８とリアカバー１２３との接合部分から遠ざかる方向に屈曲する。従って、隔壁１０８とフランジ部１２８との接合部分と電線１５５とが干渉することがないため、表示ユニット１２０を組み立てる際に電線１５５が邪魔になったり、不本意に電線１５５が切断されたりすることが無くなる。
【００５４】
なお、図５では、挿通孔１３９と案内部材１３０を一つのみ示しているが、挿通孔１３９は一つに限定されるわけではなく、挿通する電線の本数に応じて複数箇所設けてもよく、これに対応して案内部材１３０も複数個設けてもよい。
【００５５】
また、本実施形態では案内部材１３０は隔壁１０８に一体に設けられているが、案内部材を別体として接着剤や螺着により隔壁１０８に取り付けるものでもよい。
【００５６】
さらに、案内壁１４１と案内天１４０とは直角に連接されているが、案内壁１４１と案内天１４０とが一連の曲面であり、案内壁１４１と案内天１４０との境界が不明瞭な場合でもかまわない。
【００５７】
図６は、表示ユニット１２０を背部から示す斜視図である。
表示ユニット１２０は、図４に示す各パーツを組み合わせ、ねじにより螺合することで同図に示す状態に組み立てられる。また、表示ユニット１２０は、ねじをはずすことで再び図４に示される各パーツに分解することも可能となる。
【００５８】
また、表示パネル１２１と表示制御基盤１２２とをケース１２５に収容する理由は、表示に関連するパーツをひとまとまりのユニットとすることで、表示関連パーツをパチンコ機１００に取り付などする際のハンドリング性を向上させることが出来るからである。そのほか、表示制御基盤１２２等にピンセットや電極となる針が接触するのを防止し、不正な改竄から表示制御基盤１２２を保護する目的もある。従って、ケース１２５は、ほぼ密閉状態で表示パネル１２１と表示制御基盤１２２とを収容するものとなっている。なお、膨出部１２７には、内部に収容する表示パネル１２１や表示制御基盤１２２から発生する熱を放出するための放熱孔１２６が設けられている。また、ケース１２５全体を透明にするのは、改竄など表示制御基盤１２２や表示パネル１２１の不具合を発見しやすくするためである。
【００５９】
以上のように、表示ユニット１２０は、各種のパーツを組み立てることにより製造されるものであり、表示ユニット１２０と表示制御基盤１２２とを結ぶ電線１５５が隔壁１０８に設けられている案内部材１３０によって、隔壁１０８とリアカバー１２４との接合部に干渉することなく、強制的に表示制御基盤１２２方向に倒れ込むものとなされている。
【００６０】
従って、電線１５５に煩わされること無く表示ユニット１２０を容易に組み立てることができる。
【００６１】
また、ケース１２５の中間部に隔壁１０８が設けられているため、表示ユニット１２０全体の剛性が高まり、例えば、大判の表示パネル１２１を備える表示ユニット１２０であっても、ケース１２５が変形することを抑止することができる。また、隔壁１０８を介して表示ユニット１２０をパチンコ機１００に取り付けるため、取り付け安定性が高い。
【００６２】
なお、本実施形態では、フロントカバー１２３側に表示パネル１２１が配置され、リアカバー１２４側に全ての基盤が配置される状態を示したが、本発明はこれに限定されるわけではない。例えば、バックライト用のインバータ基盤が表示パネル１２１と共にフロントカバー側に配置されるものでもよい。
【産業上の利用可能性】
【００６３】
本発明は、パチンコ機やスロットなどの遊技機に利用でき、特に、大きな表示パネルを備える遊技機に利用できる。
【図面の簡単な説明】
【００６４】
【図１】本実施形態に係るパチンコ機を正面方向から示す斜視図。
【図２】パチンコ機の背面を示す斜視図。
【図３】表示ユニットの取り付け状態を模式的に示す断面図。
【図４】表示ユニットを背部から示す分解斜視図。
【図５】挿通孔及び案内部材を拡大して示す(ａ)斜視図、（ｂ）Ｉ−Ｉ線断面図。
【図６】表示ユニットを背部から示す斜視図。
【符号の説明】
【００６５】
１０８…隔壁、１２０…表示ユニット、１２１…表示パネル、１２２…表示制御基盤、１２５…ケース、１３０…案内部材、１３９…挿通孔、１４０…案内天、１４１…案内壁、１５５…電線
【図１】
2007312947.tif 000003
【図２】
2007312947.tif 000004
【図３】
2007312947.tif 000005
【図４】
2007312947.tif 000006
【図５】
2007312947.tif 000007
【図６】
2007312947.tif 000008